(57)【要約】【課題】芝生バリカン等の電動工具において異物の噛み込みによる刃物のロック解除機能を低コストで付加できるようにする。【解決手段】本発明に係る電動工具は、バッテリの電力により駆動されて、正転、あるいは逆転が可能なモータ２８と、そのモータ２８の回転運動を往復運動に変換して刃物を往復動作させる運動変換機構２９と、モータ２８と運動変換機構２９とを収納するハウジング２０と、ハウジング２０に設けられており、バッテリが装着可能に構成されたバッテリ保持部２６とを備える電動工具であって、バッテリ保持部２６は、モータ２８が正転するようにバッテリをハウジング２０に装着し、あるいはモータ２８が逆転するようにバッテリをハウジング２０に装着可能に構成されている。【選択図】図２
2010173028.tif 000002
【特許請求の範囲】
【請求項１】
バッテリの電力により駆動されて、正転、あるいは逆転が可能なモータと、そのモータの回転運動を往復運動に変換して刃物を往復動作させる運動変換機構と、前記モータと前記運動変換機構とを収納するハウジングと、前記ハウジングに設けられており、前記バッテリが装着可能に構成されたバッテリ保持部とを備える電動工具であって、
前記バッテリ保持部は、前記モータが正転するように前記バッテリを前記ハウジングに装着し、あるいは前記モータが逆転するように前記バッテリを前記ハウジングに装着可能に構成されていることを特徴とする電動工具。
【請求項２】
請求項１に記載された電動工具であって、
前記バッテリ保持部は、前記バッテリが挿入される深孔を備えており、その深孔の内壁面に溝、あるいは突条がバッテリ挿入方向に複数本形成されており、
前記バッテリの表面には、前記バッテリ保持部の複数本の溝、あるいは突条と嵌合可能な突条、あるいは溝がバッテリ挿入方向に形成されており、
前記バッテリの突条、あるいは溝を前記バッテリ保持部の第１の溝、あるいは突条に嵌合させて、前記バッテリをバッテリ保持部の深孔に挿入することで、モータが正転するように前記バッテリが前記ハウジングに装着され、
前記バッテリの突条、あるいは溝を前記バッテリ保持部の第２の溝、あるいは突条に嵌合させて、前記バッテリをバッテリ保持部の深孔に挿入することで、モータが逆転するように前記バッテリが前記ハウジングに装着される構成であることを特徴とする電動工具。
【請求項３】
請求項２に記載された電動工具であって、
前記バッテリの突条、あるいは溝が前記バッテリ保持部の第１の溝、あるいは突条に嵌合している状態で、前記バッテリをハウジングに対する固定位置まで挿入でき、
前記バッテリの突条、あるいは溝が前記バッテリ保持部の第２の溝、あるいは突条に嵌合している状態で、前記バッテリを前記固定位置の手前まで挿入できる構成であることを特徴とする電動工具。
【発明の詳細な説明】
【技術分野】
【０００１】
本発明は、バッテリの電力により駆動されて、正転、あるいは逆転が可能なモータと、そのモータの回転運動を往復運動に変換して刃物を往復動作させる運動変換機構と、前記モータと前記運動変換機構とを収納するハウジングと、前記ハウジングに設けられており、前記バッテリが装着可能に構成されたバッテリ保持部とを備える電動工具に関する。
【背景技術】
【０００２】
モータの回転運動を利用して刃物を往復動作させる芝生バリカンや刈り込み機等の園芸用電動工具では、近年、バッテリ駆動式の製品が増加している。前記バッテリの電力により駆動される直流モータは印加電圧の極性を逆にすることで回転方向を切替えることが可能である。しかし、モータの回転運動を利用して刃物を往復動作させる芝生バリカン等では、前記モータの回転方向を切替える必要性がほとんどないため、一般的にモータの回転方向を切替えるようなスイッチ等は設けられていない（特許文献１参照）。
【先行技術文献】
【特許文献】
【０００３】
【特許文献１】特開２００７−１５１４３７号公報
【発明の概要】
【発明が解決しようとする課題】
【０００４】
しかし、例えば、芝生バリカン等で芝刈り中に刃物が異物を噛んでロックしたような場合には、モータを逆転させて刃物を逆方向に動かすことで、簡単に前記異物を外すことができる。このため、モータの正転・逆転を切替えることができれば便利である。
この点を考慮して、モータの正逆切替えスイッチを設けることも考えられるが、異物の噛み込みで刃物がロックするようなことは頻繁に発生することではない。このため、前記ロック解除用にモータの正逆切替えスイッチを設けることは経済的ではない。
【０００５】
本発明は、上記問題点を解決するためになされたものであり、本発明が解決しようとする課題は、芝生バリカン等の電動工具において異物の噛み込みによる刃物のロック解除機能を低コストで付加できるようにすることである。
【課題を解決するための手段】
【０００６】
上記した課題は、各請求項の発明によって解決される。
請求項１の発明は、バッテリの電力により駆動されて、正転、あるいは逆転が可能なモータと、そのモータの回転運動を往復運動に変換して刃物を往復動作させる運動変換機構と、前記モータと前記運動変換機構とを収納するハウジングと、前記ハウジングに設けられており、前記バッテリが装着可能に構成されたバッテリ保持部とを備える電動工具であって、前記バッテリ保持部は、前記モータが正転するように前記バッテリを前記ハウジングに装着し、あるいは前記モータが逆転するように前記バッテリを前記ハウジングに装着可能に構成されていることを特徴とする。
【０００７】
本発明によると、バッテリ保持部は、モータが正転するようにバッテリを前記ハウジングに装着し、あるいは前記モータが逆転するように前記バッテリを前記ハウジングに装着可能に構成されている。このため、バッテリ保持部に対するバッテリの装着方法を変更することで、前記モータを正転させ、あるいは逆転させることが可能になる。このため、例えば、芝生バリカン等において刃物が異物を噛んでロックした場合に、バッテリを装着し直してモータを逆転させ、刃物を逆方向に動かすことで、前記ロック状態を簡単に解消できるようになる。即ち、前記ロック状態を解消するための回転切替えスイッチ等が不要になり、刃物ロック解除機能を低コストで付加できるようになる。
【０００８】
請求項２の発明によると、バッテリ保持部は、バッテリが挿入される深孔を備えており、その深孔の内壁面に溝、あるいは突条がバッテリ挿入方向に複数本形成されており、前記バッテリの表面には、前記バッテリ保持部の複数本の溝、あるいは突条と嵌合可能な突条、あるいは溝がバッテリ挿入方向に形成されており、前記バッテリの突条、あるいは溝を前記バッテリ保持部の第１の溝、あるいは突条に嵌合させて、前記バッテリをバッテリ保持部の深孔に挿入することで、モータが正転するように前記バッテリが前記ハウジングに装着され、前記バッテリの突条、あるいは溝を前記バッテリ保持部の第２の溝、あるいは突条に嵌合させて、前記バッテリをバッテリ保持部の深孔に挿入することで、モータが逆転するように前記バッテリが前記ハウジングに装着される構成であることを特徴とする。
このため、バッテリをモータの正転方向、あるいは逆転方向に容易に装着できるようになる。
【０００９】
請求項３の発明によると、バッテリの突条、あるいは溝がバッテリ保持部の第１の溝、あるいは突条に嵌合している状態で、前記バッテリをハウジングに対する固定位置まで挿入でき、前記バッテリの突条、あるいは溝が前記バッテリ保持部の第２の溝、あるいは突条に嵌合している状態で、前記バッテリを前記固定位置の手前まで挿入できる構成であることを特徴とする。
即ち、モータの正転方向にバッテリを挿入した状態で、前記バッテリをハウジングに固定できるため、この状態で電動工具を使用できるようになる。
一方、モータの逆転方向にバッテリを挿入した状態では、前記バッテリをハウジングに固定することはできない。即ち、バッテリがハウジングから外れ易い状態にあるため、この状態で電動工具を使用することはできない。したがって、バッテリがモータの逆転方向に挿入された状態で電動工具が使用されるようなことがなく、バッテリの挿入方向の変更は刃物のロック状態を解除するときにのみ行われるようになる。
【発明の効果】
【００１０】
本発明によると、電動工具に対するバッテリの装着方法を変更することで駆動源であるモータを逆転させ、異物の噛み込みに起因する刃物のロック状態を解除できる。即ち、園芸用電動工具に低コストで刃物ロック解除機能を付加できるようになる。
【図面の簡単な説明】
【００１１】
【図１】本実施形態に係る電動工具の平面図（Ａ図）、及びバッテリ蓋の動作を表す平面図（Ｂ図）である。
【図２】前記電動工具の一部破断側面図である。
【図３】前記電動工具の背面図（図２のIII-III矢視図）である。
【図４】バッテリの側面図（Ａ図）、Ａ図のB-B矢視図（Ｂ図）、及びバッテリの平面図（Ｃ図）である。
【図５】図２のV部拡大図（Ａ図、Ｂ図、Ｃ図）である。
【図６】前記電動工具のモータ駆動用電気回路を表す模式図である。
【図７】変更例に係る電動工具のバッテリの側面図（Ａ図）、及び平面図（Ｂ図）である。
【図８】変更例に係る電動工具のバッテリ保持部に対するバッテリの挿入状態を表す一部破断側面図である（Ａ図、Ｂ図）。
【図９】変更例に係る電動工具の全体側面図である。
【図１０】変更例に係る電動工具のバッテリ保持部の正面図（Ａ図）、及び側面図（Ｂ図）である。
【図１１】変更例に係る電動工具のバッテリの正面図（Ａ図）、及び側面図（Ｂ図）である。
【発明を実施するための形態】
【００１２】
（実施形態１）
以下、図１から図６に基づいて、本発明の実施形態１に係る電動工具（芝生バリカン）の説明を行なう。
なお、図中前後左右及び上下は、前記芝生バリカンにおける前後左右及び上下を表している。
【００１３】
＜芝生バリカン１０の構成概要について＞
本実施形態に係る電動工具である芝生バリカン１０は、図１、図２に示すように、側面略台形状で平面略長方形状に形成されたハウジング２０を備えている。ハウジング２０は、上端部に設けられた筒状のグリップ部２１と、そのグリップ部２１の前側に設けられたハウジング本体部２４と、そのハウジング本体部２４の下部から後方に突出するように形成されて、前記グリップ部２１の真下に配置されるバッテリ保持部２６とを備えている。そして、グリップ部２１とバッテリ保持部２６との間に、そのグリップ部２１を握る際に指が通される開口部２５が設けられている。また、グリップ部２１の下側にはスイッチレバー２２が下方に突出した状態で装着されている。さらに、グリップ部２１の後端部２１ｂは下方に湾曲するように形成されており、その後端部２１ｂの先端（下端）がバッテリ保持部２６の後端部上面に接続されている。
【００１４】
ハウジング本体部２４には、直流モータ２８（以下、モータ２８という）が縦向きに収納されており、そのモータ２８の回転運動がハウジング本体部２４の下部に収納された運動変換機構２９に伝達される。運動変換機構２９は、モータ２８の回転運動を左右方向の往復運動に変換して芝生バリカン１０の刃部３０に伝達できるように構成されている。
前記モータ２８は、図６に示すように、バッテリ４０の電力により駆動される構成であり、グリップ部２１に設けられたスイッチレバー２２が引き操作（オン操作）されている間、動作するように構成されている。
芝生バリカン１０の刃部３０は、図１（Ａ）、図２に示すように、上板刃３１と下板刃３２とから構成されており、上板刃３１と下板刃３２とが相対摺動可能な状態で重ねられている。そして、上板刃３１が運動変換機構２９に連結されており、下板刃３２がハウジング本体部２４の下面側に固定されている。このため、スイッチレバー２２が引かれてモータ２８が起動すると運動変換機構２９の働きで上板刃３１が下板刃３２に対して左右方向に往復摺動するようになる。
前記上板刃３１と下板刃３２とは、図１に示すように、先端側に櫛刃状の切刃３１ｓ，３２ｓを備えている。このため、上板刃３１が下板刃３２に対して左右方向に往復摺動することで、芝や枝等が切刃３１ｓ，３２ｓの間で切断されるようになる。
【００１５】
＜ハウジング２０のバッテリ保持部２６について＞
ハウジング２０のバッテリ保持部２６は、後記する棒状のバッテリ４０を保持する部分であり、図２に示すように、そのバッテリ４０が挿入される深孔２６０を備えている。深孔２６０は、図３に示すように、左右に長く、上下に短い断面略楕円形に形成されており、その深孔２６０の奥端が、図２及び図５に示すように、仕切り壁２６４によって塞がれている。即ち、ハウジング２０のバッテリ保持部２６とハウジング本体部２４とが前記仕切り壁２６４によって仕切られている。
また、バッテリ保持部２６の深孔２６０の内壁面には、図２、図３に示すように、上側中央（天井面中央）にバッテリ挿入方向に延びる浅い第１角溝２６１が形成されており、下側中央（底面中央）に同じくバッテリ挿入方向に延びる浅い第２角溝２６２が形成されている。天井面中央の第１角溝２６１は、図５（Ａ）等に示すように、深孔２６０の開口から仕切り壁２６４の位置まで形成されている。また、底面中央の第２角溝２６２は、深孔２６０の開口から仕切り壁２６４の手前（仕切り壁２６４から寸法Ｘの位置）まで形成されている。
【００１６】
前記深孔２６０の仕切り壁２６４には、図５（Ａ）に示すように、上端中央位置に電極用上部開口２６４ｕが形成されており、下端中央位置に電極用下部開口２６４ｄが形成されている。そして、仕切り壁２６４の電極用上部開口２６４ｕ、電極用下部開口２６４ｄからモータ駆動用電気回路２８ｅ（図６参照）のマイナス側電極２８ｎ、プラス側電極２８ｐがそれぞれ深孔２６０の内側に突出している。モータ駆動用電気回路２８ｅのマイナス側電極２８ｎとプラス側電極２８ｐとは、それらの電極２８ｎ，２８ｐ間にバッテリ４０の電極部分を挟めるように構成されており、導電性の板ばねを折り曲げることで上下対称に形成されている。さらに、両電極２８ｎ，２８ｐの先端部分には、バッテリ４０を深孔２６０に挿入する過程でそのバッテリ４０の電極部分を両電極２８ｎ，２８ｐ間に挟み込めるようにするため、傾斜面からなる拡開部２８ｗが設けられている。
【００１７】
バッテリ保持部２６の外側後端位置には、図１等に示すように、深孔２６０の開口を塞ぐバッテリ蓋２７が取付けられている。バッテリ蓋２７は、図１（Ｂ）に示すように、帯板状の板ばねを扁平略Ｕ字形に折り曲げることにより構成されており、そのバッテリ蓋２７の基端部（右端部）にヒンジ機構２７ｈが設けられている。そして、前記バッテリ蓋２７がヒンジ機構２７ｈによってバッテリ保持部２６の後端右側に水平回動可能な状態で連結されている。また、バッテリ蓋２７の回動自由端側（先端側）には、バッテリ保持部２６の後端左側に設けられた受け部２６ｕに弾性力で係合可能な鉤部２７ｋが形成されている。さらに、バッテリ蓋２７の中央には、バッテリ保持部２６の深孔２６０に挿入されたバッテリ４０の後端面４１ｂを押える押え部２７ｓが形成されている。ここで、バッテリ蓋２７の鉤部２７ｋは、バッテリ４０がバッテリ保持部２６の深孔２６０に完全に収納された状態で、そのバッテリ保持部２６の受け部２６ｕに掛けられるように構成されている。
【００１８】
＜バッテリ４０について＞
バッテリ４０は、蓄電池（図示省略）と、その蓄電池を収納するハウジング４１とから構成されている。
ハウジング４１（以後、バッテリ４０と呼ぶ）は、図４（Ａ）〜（Ｃ）に示すように、バッテリ保持部２６の深孔２６０に挿入される棒状体であり、そのバッテリ４０の横断面形状が前記深孔２６０の横断面形状とほぼ等しい略楕円形に形成されている。また、バッテリ４０の長さ寸法がバッテリ保持部２６の深孔２６０の深さ寸法、即ち、深孔２６０の開口から仕切り壁２６４表面までの長さ寸法とほぼ等しくなるように設定されている。
【００１９】
バッテリ４０の上面中央には、図４（Ａ）〜（Ｃ）に示すように、バッテリ保持部２６の深孔２６０の第１角溝２６１、あるいは第２角溝２６２と嵌合可能は一本の突条４３がそのバッテリ４０の先端面４１ｆから後端面４１ｂまで形成されている。なお、突条４３の断面形状は、第１角溝２６１、第２角溝２６２の断面形状と等しい扁平角形に形成されている。
また、バッテリ４０の先端部分には、図４（Ｂ）（Ｃ）に示すように、突条４３の内側位置で、そのバッテリ４０の先端面４１ｆまで達する角形の窪み部４３ｋが形成されており、その窪み部４３ｋの内側位置にマイナス側電極４５が露出している。さらに、バッテリ４０の先端部分には、図４（Ｂ）に示すように、突条４３の窪み部４３ｋと中心を挟んで反対位置に角形の裏側窪み部４３ｘが形成されており、その裏側窪み部４３ｘの内側位置でプラス側電極４６が露出している。
【００２０】
＜バッテリ保持部２６に対するバッテリ４０の装着について＞
バッテリ４０をバッテリ保持部２６に装着する場合には、前記バッテリ４０の突条４３を上にした状態で、その突条４３をバッテリ保持部２６の第１角溝２６１に嵌合させ、この状態でバッテリ４０をバッテリ保持部２６の深孔２６０に挿入する。図５（Ａ）に示すように、バッテリ保持部２６の第１角溝２６１は深孔２６０の開口から仕切り壁２６４の位置まで形成されている。このため、突条４３が第１角溝２６１と嵌合している状態でバッテリ４０は仕切り壁２６４に当接する位置まで挿入可能となる（図５（Ｂ）参照）。そして、バッテリ４０がバッテリ保持部２６の深孔２６０に挿入される過程で、そのバッテリ４０の先端に設けられたマイナス側電極４５、プラス側電極４６がモータ駆動用電気回路２８ｅのマイナス側電極２８ｎ、プラス側電極２８ｐの間に押し込まれる。これにより、バッテリ４０のマイナス側電極４５、プラス側電極４６がモータ駆動用電気回路２８ｅのマイナス側電極２８ｎ、プラス側電極２８ｐに接続され、図６に示す電気回路が形成される。
【００２１】
また、バッテリ４０は、そのバッテリ４０の先端面４１ｆが仕切り壁２６４に当接する位置まで深孔２６０に挿入されることにより、そのバッテリ４０の全体が深孔２６０に収納される。これにより、図１（Ａ）に示すように、バッテリ蓋２７の押え部２７ｓでバッテリ４０の後端面４１ｂを押えた状態で、そのバッテリ蓋２７の鉤部２７ｋをバッテリ保持部２６の受け部２６ｕに掛けられるようになる。これにより、バッテリ保持部２６の深孔２６０の開口部分がバッテリ蓋２７によって閉鎖され、バッテリ４０がハウジング２０に固定される。即ち、バッテリ４０の先端面４１ｆが仕切り壁２６４に当接する位置が本発明の固定位置に相当する。
この状態で、芝生バリカン１０を使用できるようになり、スイッチレバー２２を引き操作することでモータ２８が正転方向に起動し、上板刃３１が左右方向に往復運動するようになる。
【００２２】
次に、芝刈り中に刃部３０が異物を噛んでロックした場合にモータ２８を逆転方向に駆動させる手順について説明する。
この場合、先ず、バッテリ蓋２７の鉤部２７ｋをバッテリ保持部２６の受け部２６ｕから外し、バッテリ４０をバッテリ保持部２６の深孔２６０から引き抜く。次に、前記バッテリ４０の突条４３を下にした状態でその突条４３をバッテリ保持部２６の第２角溝２６２に嵌合させ、この状態でバッテリ４０をバッテリ保持部２６の深孔２６０に挿入する。図５（Ａ）に示すように、バッテリ保持部２６の第２角溝２６２は、深孔２６０の開口から仕切り壁２６４の手前（仕切り壁２６４から寸法Ｘの位置）まで形成されている。このため、突条４３が第２角溝２６２と嵌合している状態では、バッテリ４０を仕切り壁２６４の手前（仕切り壁２６４から寸法Ｘの位置）までしか挿入できなくなる（図５（Ｃ）参照）。このため、バッテリ４０の後端部が、図１（Ｂ）に示すように、寸法Ｘだけ深孔２６０から突出してバッテリ蓋２７を閉じることはできなくなる。しかし、バッテリ４０がバッテリ保持部２６の深孔２６０に挿入される過程で、そのバッテリ４０のプラス側電極４６がモータ駆動用電気回路２８ｅのマイナス側電極２８ｎに接続され、バッテリ４０のマイナス側電極４５がモータ駆動用電気回路２８ｅのプラス側電極２８ｐに接続される（図５（Ｃ）参照）。このため、スイッチレバー２２を引き操作することでモータ２８が逆転方向に起動し、上板刃３１が左右逆方向に往復運動して、異物が簡単に除去できるようになる。
【００２３】
＜本実施形態に係る芝生バリカン１０に長所について＞
本実施形態に係る芝生バリカン１０によると、バッテリ保持部２６は、モータ２８が正転するようにバッテリ４０をハウジング２０に装着し、あるいはモータ２８が逆転するようにバッテリ４０をハウジング２０に装着可能に構成されている。このため、バッテリ保持部２６に対するバッテリ４０の装着方法を変更することで、モータ２８を正転させ、あるいは逆転させることが可能になる。このため、例えば、芝生バリカン１０において刃部３０が異物を噛んでロックした場合に、バッテリ４０を装着し直してモータ２８を逆転させ、刃部３０を逆方向に動かすことで、前記ロック状態を簡単に解消できるようになる。即ち、前記ロック状態を解消するための回転切替えスイッチ等が不要になり、刃物ロック解除機能を低コストで付加できるようになる。
【００２４】
また、バッテリ４０の突条４３をバッテリ保持部２６の第１角溝２６１に嵌合させて、そのバッテリ４０をバッテリ保持部２６の深孔２６０に挿入することで、モータ２８が正転するようにバッテリ４０が装着される。逆に、バッテリ４０の突条４３をバッテリ保持部２６の第２角溝２６２に嵌合させて、バッテリ４０をバッテリ保持部２６の深孔２６０に挿入することで、モータ２８が逆転するようにバッテリ４０が装着される。このため、バッテリ４０をモータ２８の正転方向、あるいは逆転方向に容易に装着できるようになる。
また、モータの正転方向にバッテリを挿入した状態でバッテリ４０をハウジング２０に固定でき、モータの逆転方向にバッテリを挿入した状態でバッテリ４０をハウジング２０に固定することはできなくなる。したがって、バッテリ４０がモータ２８の逆転方向に挿入された状態で電動工具が使用されることがなく、バッテリの挿入方向の変更は刃物のロック状態を解除するときにのみ行われるようになる。
【００２５】
＜変更例＞
ここで、本発明は上記実施形態に限定されるものではなく、本発明の要旨を逸脱しない範囲における変更が可能である。例えば、本実施形態では、図１（Ｂ）に示すように、バッテリ蓋２７を利用してバッテリ４０をハウジング２０に固定する例を示した。しかし、バッテリ蓋２７の代わりに、図７、図８に示すように、一対の係合爪４７と一対の爪受け部材２６ｋとを使用する構成でも可能である。即ち、一対（上下）の係合爪４７は、図７等に示すように、側面略横Ｌ字形に形成されてバッテリ４０の突条４３の後端位置と、その突条４３の反対側の後端位置に固定されている。上下の係合爪４７には、バッテリ４０の挿入方向に延びる突出部分４７ｔがそれぞれ設けられており、各々の突出部分４７ｔの先端に楔状の鉤部４７ｋが形成されている。そして、上下の係合爪４７の突出部分４７ｔが基端部を中心にして上下方向に弾性変形可能に構成されている。
【００２６】
また、バッテリ保持部２６の深孔２６０の開口縁には、前記バッテリ４０の上下の係合爪４７に対応する位置に上下一対の爪受け部材２６ｋが形成されている。そして、バッテリ４０がバッテリ保持部２６の深孔２６０に挿入されて、そのバッテリ４０の先端面４１ｆが仕切り壁２６４に当接した状態で、バッテリ４０の係合爪４７の鉤部４７ｋがバッテリ保持部２６の爪受け部材２６ｋと係合するように構成されている（図８（Ｂ）参照）。これにより、バッテリ４０は芝生バリカン１０のハウジング２０に固定される。
一方、バッテリ４０の先端面４１ｆが仕切り壁２６４に当接しない状態では、図８（Ａ）に示すように、バッテリ４０の係合爪４７の鉤部４７ｋがバッテリ保持部２６の爪受け部材２６ｋと係合せず、バッテリ４０は芝生バリカン１０のハウジング２０に固定されない。
即ち、バッテリ４０の係合爪４７とバッテリ保持部２６の爪受け部材２６ｋとを使用することで、バッテリ蓋２７を省略することが可能になる。
また、本実施形態では、バッテリ４０に突条４３を形成し、バッテリ保持部２６の深孔２６０に第１、第２角溝２６１，２６２を形成する例を示したが、バッテリ４０に角溝を形成し、前記深孔２６０に第１、第２突条を形成することも可能である。
【００２７】
また、本実施形態では電動工具の一例として芝生バリカン１０を例示したが、図９に示すように、例えば、レシプロソー５０等に本発明を適用することも可能である。
即ち、前記レシプロソー５０は、レシプロソー本体５１とバッテリ６０とから構成されており、そのレシプロソー本体５１のグリップ部５２の下端部にバッテリ６０が連結されるバッテリ保持部５３が設けられている。バッテリ保持部５３は、図１０（Ａ）（Ｂ）に示すように、レシプロソー本体５１の左右両側に縦壁状に形成されており、左右のバッテリ保持部５３の内壁面（互いに対向する面）に前端位置から後端位置まで直線状に延びる角溝５３ｋが互いに平行に形成されている。また、レシプロソー本体５１には、左右のバッテリ保持部５３の間で、前後方向中央位置に前後方向に延びる一対の電極５１（＋），５２（−）が設けられている。
【００２８】
一方、バッテリ６０の上端には、左右両側に前後方向に延びる突条６４が形成されており、その突条６４がレシプロソー本体５１のバッテリ保持部５３に形成された角溝５３ｋに対して前方、あるいは後方から嵌合可能に構成されている。また、バッテリ６０の上面には、レシプロソー本体５１の電極５１（＋），５２（−）に対応する位置に前端位置から後端位置まで直線状に延びる一対のスリット溝６５，６６が形成されている。そして、各々のスリット溝６５，６６の前後方向中央位置に電極６５ｍ（＋），６６ｍ（−）が配置されている。
【００２９】
これにより、バッテリ６０の突条６４をレシプロソー本体５１のバッテリ保持部５３の角溝５３ｋに嵌合させ、この状態でそのバッテリ６０をレシプロソー本体５１に対して前後方向にスライドさせることで、両者５１，６０を連結させることが可能になる。このとき、バッテリ６０とレシプロソー本体５１との前後方向を一致させた状態で両者５１，６０を連結させることで、レシプロソー本体５１の電極５１（+）、電極５２（−）がバッテリ６０の電極６５ｍ（＋）、電極６６ｍ（−）に接続され、モータが正転可能になる。また、バッテリ６０とレシプロソー本体５１との前後方向を逆にした状態で両者５１，６０を連結することで、レシプロソー本体５１の電極５１（+）、電極５２（−）がバッテリ６０の電極６６ｍ（−）、電極６５ｍ（＋）に接続され、モータが逆転可能になる。即ち、バッテリ６０の装着方法を変更することで、モータを正転させ、あるいは逆転させることが可能になる。
ここで、バッテリ６０の上面には、上方に突出可能、かつ前記上面より下側に収納可能な楔状突起６２ｋが設けられており、そのバッテリ６０の前面に楔状突起６２ｋを突出、あるいは収納させるための操作レバー６１が設けられている。また、レシプロソー本体５１のグリップ部５２の下端面にはバッテリ６０の楔状突起６２ｋに対応する位置にその楔状突起６２ｋが係合可能な凹部（図示省略）が設けられている。これにより、レシプロソー本体５１とバッテリ６０とを連結した状態で楔状突起６２ｋをバッテリ６０の上面から突出させることにより、前記バッテリ６０をレシプロソー本体５１に固定することができる。
【符号の説明】
【００３０】
１０・・・・芝生バリカン（電動工具）
２０・・・・ハウジング
２６・・・・バッテリ保持部
２６０・・・深孔
２６１・・・第１角溝
２６２・・・第２角溝
２８・・・・モータ
２９・・・・運動変換機構
３０・・・・刃部（刃物）
４０・・・・バッテリ
４３・・・・突条
５０・・・・レシプロソー（電動工具）
６０・・・・バッテリ
【図１】
2010173028.tif 000003
【図２】
2010173028.tif 000004
【図３】
2010173028.tif 000005
【図４】
2010173028.tif 000006
【図５】
2010173028.tif 000007
【図６】
2010173028.tif 000008
【図７】
2010173028.tif 000009
【図８】
2010173028.tif 000010
【図９】
2010173028.tif 000011
【図１０】
2010173028.tif 000012
【図１１】
2010173028.tif 000013